(57)【要約】【課題】操作性に優れた車両用室内収納装置を提供する。【解決手段】車室内に向けて開口する収納室Sと、収納室Sの開口部13に揺動可能に設けたカバー16と、開口部13とカバー16間に介装したカバーロック機構20と、カバーロック機構20によるカバー16のロックを解除する電磁ソレノイド26と、カバー16に形成された電極膜18と、電極膜18に接続され、手等の人体の一部がカバー16の表面に触れることで電極と人体との間の静電容量の変化に基づいて、ソレノイド26の駆動を制御する制御部30とを備えた収納装置で、カバー16がソレノイド26駆動用のタッチスイッチとして機能するので、収納室Sの開口部13を開口する操作が容易となる。【選択図】図４
2012051533.tif 000002
【特許請求の範囲】
【請求項１】
車室内に向けて開口する収納室と、前記収納室の開口部に設けられた蓋であるカバーと、前記開口部と前記カバー間に介装された蓋開閉駆動機構と、前記カバーに形成された電極膜と、前記電極膜に接続され、手等の人体の一部が前記カバーの表面に接触することで電極と人体との間の静電容量の変化に基づいて前記駆動機構の駆動を制御する制御部とを備え、
タッチスイッチとして機能する前記カバーに指が触れると、前記制御部は、前記収納室の開口部が開口する方向に前記カバーを動作させるべく、前記駆動機構の駆動を制御することを特徴とする車両用室内収納装置。
【請求項２】
前記収納室または前記カバーには、光源が設けられ、前記制御部は、前記駆動機構の駆動に連携して前記光源を点・消灯させるように構成されたことを特徴とする請求項１に記載の車両用室内収納装置。
【請求項３】
前記光源は調光手段を備え、前記制御部は、車室内所定位置に設けた光度センサの出力に基づいて、前記光源の光量を調光制御することを特徴とする請求項２に記載の車両用室内収納装置。
【請求項４】
車室内に露呈するドアトリムの所定位置には、前記蓋開閉用の駆動機構を駆動する第２のスイッチが設けられたことを特徴とする請求項１〜３のいずれかに記載の車両用室内収納装置。
【請求項５】
前記収納室は、車室に固定された筐体により構成され、
前記カバーは、前記筐体の開口部に設けた枢軸周りに揺動して該開口部を開閉するように構成され、
前記蓋開閉用の駆動機構は、前記カバーの揺動先端側に設けられたフック係止部である係合凹部と、前記カバーの揺動先端側が係合する前記筐体の開口周縁部に設けられ、ばね付勢されて前記筐体の開口部内方に突出し、前記係合凹部に係合可能なフックを備えたカバーロック機構と、前記カバーロック機構のロックを解除する電磁ソレノイドとを備えたことを特徴とする請求項１〜４のいずれかに記載の車両用室内収納装置。
【発明の詳細な説明】
【技術分野】
【０００１】
本発明は、収納室の開口部に設けられた蓋を開けて、蓋の裏側に一体化されている化粧用ミラーを使用するバニティミラーケースや、収納室の開口部に設けられた蓋を開けて、小物の出し入れを行うコンソールボックスやグローブボックス等のように、蓋を開閉操作することで、収納室に収納された収納物（化粧用ミラーや小物）の出し入れを行う車両用室内収納装置に関する。
【背景技術】
【０００２】
自動車の座席横のコンソールボックスや座席前のグローブボックスには、下記特許文献１に示すように、小物入れである収納部と、この収納部に設けられた開閉動作可能な蓋と、蓋の表面に設けられたタッチセンサと、タッチセンサへのタッチ動作を検出して蓋開閉機構を動作させる制御部とを備えた車両用室内収納装置が記載されている。
【０００３】
予め指紋登録した搭乗者の指をタッチセンサに接触または接近するだけで、制御部がタッチセンサへのタッチ動作を検出して、蓋開閉機構を動作させるので、蓋の開閉操作性に優れ、盗難に対するセキュリティも向上する、というものである。
【先行技術文献】
【特許文献】
【０００４】
【特許文献１】特開２００３−１５９９９９号公報（段落００１４〜００２４、図１〜４）
【発明の概要】
【発明が解決しようとする課題】
【０００５】
しかし、特許文献１では、盗難に対するセキュリティは優れているものの、制御部が指の指紋を判別できるように、指をゆっくりとタッチセンサにタッチすることが不可欠で、それだけ蓋を開けるのに時間がかかることに加えて、タッチセンサの面積が小さいため、それだけタッチ操作しにくいという問題もあった。
【０００６】
本発明は、前記従来技術の問題点に鑑みなされたもので、その目的は、操作性に優れた車両用室内収納装置を提供することにある。
【課題を解決するための手段】
【０００７】
前記目的を達成するために、本発明に係る車両用室内照明灯においては、車室内に向けて開口する収納室と、前記収納室の開口部に設けられた蓋であるカバーと、前記開口部と前記カバー間に介装された蓋開閉駆動機構と、前記カバーに形成された電極膜と、前記電極膜に接続され、手等の人体の一部が前記カバーの表面に接触することで電極と人体との間の静電容量の変化に基づいて前記駆動機構の駆動を制御する制御部とを備え、
タッチスイッチとして機能する前記カバーに指が触れると、前記制御部は、前記収納室の開口部が開口する方向に前記カバーを動作させるべく、前記駆動機構の駆動を制御するように構成した。
【０００８】
なお、電極膜は、印刷，塗装，蒸着またはスパッタリングによって、カバー本体の表面側または裏面側に形成されている。
【０００９】
（作用）カバーに電極膜が形成されているので、カバーの電極膜形成領域の近傍にタッチすれば、電極と人体との間の静電容量が変化し、制御部がこの静電容量の変化に基づいて蓋開閉駆動機構の駆動を制御する。即ち、カバーのほぼ全体がタッチスイッチ（タッチセンサ）として機能するので、収納室の開口部を開口する（カバーを開ける）ための操作が容易となる。
【００１０】
請求項２においては、請求項１に記載の車両用室内収納装置において、前記収納室または前記カバーに光源を設け、前記制御部は、前記駆動機構の駆動（カバーの開閉動作）に連携して前記光源を点・消灯させるように構成した。
【００１１】
（作用）蓋開閉駆動機構の駆動（カバーによる収納室の開口部の開閉動作）に連携して光源が点・消灯するので、たとえば、カバーが開動作して収納室の開口部が開口すると同時に、収納室またはカバーに設けた光源が点灯する。このため、室内収納装置が例えばバニティミラーケースを構成する場合は、カバーの裏側に一体化されている化粧用ミラーを使用する際に、ミラー周辺が明るく照明されて、ミラーに映りこむ像の視認性が向上する。また、室内収納装置が例えばコンソールボックスやグローブボックスを構成する場合は、収納室内が明るく照明されて、収納室内部および収納物の視認性が向上する。
【００１２】
また、カバーが開動作して収納室の開口部が開口されている形態以外、即ち、カバーによって収納室の開口部が閉じられている場合は、光源を点灯させる必要がないので、光源を消灯状態にして電力消費の無駄が省かれる。
【００１３】
請求項３においては、請求項２に記載の車両用室内照明灯において、前記光源は調光手段を備え、前記制御部は、車室内所定位置に設けた光度センサの出力に基づいて、前記光源の光量を調光制御するように構成した。
【００１４】
（作用）昼間のように車室内が十分に明るい場合は、光源の光量を下げ、夜間のように車室内が暗い場合は、光源の光量を上げて、例えば、バニティミラーケースではカバー裏側の化粧用ミラー周辺の明るさが、コンソールボックスやグローブボックスでは収納室内部の明るさが、それぞれ利用する上での最適な明るさとなるように、制御部が光源の光量を調整する。
【００１５】
請求項４においては、請求項１〜３のいずれかに記載の車両用室内照明灯において、車室内に露呈するドアトリムの所定位置に、前記蓋開閉用の駆動機構を駆動する第２のスイッチを設けるように構成した。
【００１６】
（作用）蓋開閉駆動機構を駆動させる第２のスイッチを、例えば、運転者その他の搭乗者が手を大きく伸ばさなくても簡単に届く、車室内に露呈するドアトリムの所定位置に設けることで、タッチスイッチであるカバーをタッチすることなく、第２のスイッチの操作によっても、蓋開閉駆動機構の駆動、即ち、収納室の開口部を開口する（カバーを開ける）ことができる。
【００１７】
請求項５においては、請求項１〜４のいずれかに記載の車両用室内照明灯において、前記収納室は、車室に固定された筐体により構成され、前記カバーは、前記筐体の開口部に設けた枢軸周りに揺動して該開口部を開閉するように構成され、前記蓋開閉用の駆動機構は、前記カバーの揺動先端側に設けられたフック係止部である係合凹部と、前記カバーの揺動先端側が係合する前記筐体の開口周縁部に設けられ、ばね付勢されて前記筐体の開口部内方に突出し、前記係合凹部に係合可能なフックを備えたカバーロック機構と、前記カバーロック機構のロック（前記係合凹部に前記フックが係合した形態）を解除する電磁ソレノイドとを備えるように構成した。
【００１８】
（作用）カバーは、枢支軸周りに揺動して開口部を開閉できるので、カバーを手で閉じる操作がし易い。
【００１９】
特に、車室内の天上に筐体が取り付けられている場合には、カバーロック機構のロックが解除されると、カバーは、自重により枢支軸周りに揺動して該開口部を開口する。
【発明の効果】
【００２０】
本発明に係る車両用室内照明灯によれば、指がカバーのどこか一部に触れるだけで、蓋開閉駆動機構が駆動（カバーが開く方向に動作）して収納室が開口するので、操作性に優れた車両用室内収納装置が提供される。
【００２１】
請求項２によれば、カバーが開動作して収納室の開口部が開口されると、収納室に設けた光源が点灯して、室内収納装置がバニティミラーケースを構成する場合は、カバーの裏側に一体化されている化粧用ミラーの周辺が明るく照明されて、ミラーに映りこむ像の視認性が向上する等、夜間でもバニティミラーを有効に利用できる。また、室内収納装置が眼鏡収納ケースやコンソールボックスやグローブボックスを構成する場合は、収納室内が明るく照明されて、収納室内部および収納物の視認性が向上する等、夜間でも眼鏡収納ケースやコンソールボックスやグローブボックスを有効に利用できる。
【００２２】
また、室内収納装置を利用する（カバーを開ける）場合以外は、光源を点灯させる必要がないので、カバーが閉じると光源が消灯して、電力消費の無駄が省かれる。
【００２３】
請求項３によれば、収納室に設けた光源の光量が収納装置の利用に最適な大きさに調整されるので、夜間でもそれぞれ収納装置を利用できることは勿論、電力消費の無駄も省かれるので、自動車業界で希求されているエコノミー政策にも合致する。
【００２４】
請求項４によれば、タッチスイッチであるカバーへのタッチ操作に加えて、第２のスイッチの操作によっても、収納室を開口する（カバーを開ける）ことができるので、搭乗者による収納室の開口操作がより簡単となる。
【００２５】
請求項５によれば、指がカバーの電極膜形成領域の近傍に触れるだけで、蓋開閉駆動機構が駆動（カバーが開く方向に動作）して収納室が開口し、一方、カバーを閉じる場合は、手でカバーを枢支軸周りに揺動させて簡単に収納室を閉口できるので、操作性に優れた車両用室内収納装置が提供される。
【００２６】
特に、車室内の天上に筐体が取り付けられている場合には、カバーロック機構のロック解除により、カバーが自重で枢軸周りに揺動して収納室が開口するので、収納室の開口操作がよりいっそう簡単となる。
【図面の簡単な説明】
【００２７】
【図１】本発明に係る室内収納装置の第１の実施例であるリヤバニティミラーケースを下方から見上げた斜視図である。
【図２】（ａ）は同リヤバニティミラーケースの要部背面図で、蓋開閉駆動機構であるカバーロック機構がカバーをロックした状態の背面図、（ｂ）は蓋開閉駆動機構であるカバーロック機構がカバーのロックを解除した状態の背面図である。
【図３】カバーロック機構の分解斜視図である。
【図４】同リヤバニティミラーケースの縦断面図（図２（ａ）に示す線ＩＶ−ＩＶに沿う断面図）である。
【図５】（ａ）はリヤバニティミラーケースの電気的構成を示すブロック図、（ｂ）はカバーロック機構の駆動部である電磁ソレノイドの駆動および光源の点灯を制御する制御ユニットのフローチャートを示す図である。
【図６】本発明の第２の実施例である眼鏡収納ケースの斜視図である。
【図７】本発明の第３の実施例である液晶テレビ収納ケースの縦断面図である。
【図８】本発明の第４の実施例であるグローブボックスの縦断面図である。
【図９】本発明の第５の実施例であるコンソールボックスの縦断面図である。
【発明を実施するための形態】
【００２８】
以下、本発明の実施の形態を実施例に基づいて説明する。
【００２９】
図１〜図５は、本発明に係る室内収納装置をリヤバニティミラーケース（化粧用ミラー収納装置）に適用した本発明の第１の実施例を示し、図１は第１の実施例であるリヤバニティミラーケースを下方から見上げた斜視図、図２は同リヤバニティミラーケースの要部背面図で、（ａ）は蓋開閉駆動機構であるカバーロック機構がカバーをロックした状態、（ｂ）は蓋開閉駆動機構であるカバーロック機構がカバーのロックを解除した状態を示す。図３はカバーロック機構の分解斜視図、図４は同リヤバニティミラーケースの縦断面図（図２（ａ）に示す線ＩＶ−ＩＶに沿う断面図）、図５（ａ）はリヤバニティミラーケースの電気的構成を示すブロック図、図５（ｂ）はカバーロック機構の駆動部である電磁ソレノイドの駆動および光源の点・消灯を制御する制御ユニットのフローチャートを示す図である。
【００３０】
第１の実施例であるリヤバニティミラーケース１０は、図１に示すように、車室内の後部座席の天井に下向きに設置されている。
【００３１】
同ミラーケース１０は、図１〜図４に示すように、車室内に臨む下面側が開口する扁平な矩形状の筐体１２と、筐体１２の内部（収納室Ｓ）に配置された光源である複数のバルブ１４と、バルブ１４全体を覆うように筐体１２の内部（収納室Ｓ）に配置されたインナーレンズ１５と、筐体１２の開口部１３に配置された揺動開閉蓋である不透光性カバー１６と、カバー１６裏面側に隙間を隔てて一体化された化粧用ミラー１７と、カバー１６と筐体１２間に介装された蓋開閉駆動機構であるカバーロック機構２０と、カバー１６の裏面側に積層形成された電極膜１８と、電極膜１８に接続され、手等の人体の一部がカバー１６の表面に接触することで電極と人体との間の静電容量の変化に基づいて、カバーロック機構２０を駆動し、カバーロック機構２０によって開口部１３に係合保持されているカバー１６のロックを解除して、筐体１２の開口部１３を開口するとともに、バルブ１４を点灯制御する制御ユニット３０（図５参照）と、を備えて構成されている。
【００３２】
カバー１６は、図４に示すように、カバー本体１６ａの周縁部背面側に補強材である周縁枠１６ｂが一体化されており、周縁枠１６ｂに支持された化粧用ミラー１７がカバー本体１６ａから離間するように配置されている。
【００３３】
また、カバー１６は、筐体１２の開口部１３に整合する大きさに形成されるとともに、その基端部側１６Ａが筐体１２の開口部１３に設けた一対のピン支点１２ａで支承されて、枢軸Ｌｘ周りに揺動できるように構成され、カバー１６の揺動先端側１６Ｂには、カバーロック機構２０を構成するロックプレート２４の先端部が係合できる係合凹部１６Ｃ（図１，４参照）が設けられている。
【００３４】
カバー１６は、その揺動先端側１６Ｂがカバーロック機構２０によってロックされ（ロックプレート２４の先端部が係合凹部１６Ｃが係合し）て、筐体１２の開口部１３がカバー１６によって閉じた状態に保持される形態（図４参照）と、カバーロック機構２０によるカバー１６のロック（ロックプレート２４の先端部と係合凹部１６Ｃの係合）が解除されて、カバー１６が枢軸Ｌｘ周りに自重で揺動し、その揺動先端側１６Ｂが下方に垂れ下がって、筐体１２の開口部１３が下方に開口される形態（図１参照）の二つの形態をとることができる。
【００３５】
筐体１２の開口部１３周縁部には、図４に示されるように、外フランジ部１３ａが形成されており、カバー１６の揺動先端側１６Ｂに対応する外フランジ部１３ａの背面側に、カバーロック機構２０(図２，３，４参照)が配設されている。
【００３６】
カバーロック機構２０は、外フランジ部１３ａの裏面に突設された保持部３１，３２に両端の軸部２２ａ，２２ｂが支承されて軸方向に進退動作可能に保持され、図２左方向にばね付勢保持されたスライダー２２と、その側面に突出するピン２４ａがスライダー２２に形成した長孔２３に係合して、スライダー２２の進退動作に連携してスライド軸Ｌｙと直交する方向（図２上下方向）にスライド動作するロックプレート２４と、スライダー２２をばね付勢力に抗して軸方向（図２右方向）に駆動（スライド）させる電磁ソレノイド２６とを備えて構成されている。なお、符号３４は、外フランジ部１３ａの裏面側に突設された一対の立壁３３，３３に挟まれた、スライド軸Ｌｙと直交する方向に延びるガイド溝で、ロックプレート２４はこのガイド溝３４に係合している。
【００３７】
また、図３に示すように、スライダー２２の矩形状平板部２２ｃに設けられた長孔２３は、スライド軸Ｌｙに対し傾斜し、長孔２３と係合する突出ピン２４ａを設けたロックプレート２４は、スライド軸Ｌｙに対し直交するガイド溝３４に沿って図３矢印方向にスライド可能に設けられており、スライダー２２の進退動作に連携して、突出ピン２４ａが長孔２３に沿ってスライド（ロックプレート２４がガイド溝３４に沿ってスライド）する。符号２２２ｃ１は、断面Ｌ字型の矩形状平板部２２ｃの縦壁に設けた、ロックプレート２４との干渉を避けるための孔である。
【００３８】
また、図４に示すように、筐体１２の開口部形成壁１２ｂのロックプレート２４先端部と正対する位置には、ロックプレート２４挿通用の貫通孔１２ｃが設けられている。このため、スライダー２２の進退動作に連携して、開口部形成壁１２ｂに設けた貫通孔１２ｃおよび開口部１３に対しロックプレート２４が突没動作する。
【００３９】
スライダー２２は、軸部２２ａ，２２ｂと矩形状平板部２２ｃを樹脂の一体成形体で構成したスライダー本体に、電磁ソレノイド２６の摺動子を構成する金属製ロッド２２ｄがインサート成形により一体化されている。
【００４０】
矩形状平板部２２ｃと軸部２２ｂ間にはフランジ部２３ｅが形成され、軸部２２ｂを支承する保持部３２とスライダー２２のフランジ部２３ｅとの間には、復帰ばね（圧縮コイルばね）２５が介装されて、スライダー２２は、図２（ａ）に示すように、突出ピン２４ａが長孔２３の端部２３ｂに係合する最前方位置にばね付勢保持されている。
【００４１】
このとき、ロックプレート２４は、図２（ａ），図４に示すように、その先端部が開口部形成壁１２ｂの貫通孔１２ｃを貫通して開口部１３内に突出し、カバー１６の揺動先端側１６Ｂの係合凹部１６Ｃと係合して、カバー１６がロック機構２０によってロックされた形態となる。
【００４２】
この図２（ａ）に示す形態において、電磁ソレノイド２６に通電すると、復帰ばね２５のばね力に抗して、スライダー２２（の金属製ロッド２２ｄ）が図２（ａ）右方向にスライドして（引き込まれて）、図２（ｂ）に示すように、突出ピン２４ａが長孔２３の他端部２３ａまでスライド（ロックプレート２４がガイド溝３４に沿って後退）し、ロックプレート２４の先端部がカバー１６の揺動先端側１６Ｂの係合凹部１６Ｃから逸脱して、貫通孔１２ｂ（図４参照）内に没入した形態となる。即ち、ロック機構２０によるカバー１６のロックが解除された形態となる。
【００４３】
そして、ロック機構２０によるカバー１６のロックが解除されると、カバー１６は、図４矢印に示すように、ピン支点１２ａ（枢軸Ｌｘ）周りに自重で揺動して、筐体１２の開口部１３が下方に開口されるとともに、図１に示すように、カバー１６の揺動先端側１６Ｂが下方に垂れ下がって、カバー１６裏面側に一体化されている化粧用ミラー１７を利用できる形態となる。
【００４４】
そして、電磁ソレノイド２６への通電（例えば１秒間）が止むと、スライダー２２（ロックプレート２４）は復帰ばね２５のばね力によって、図２（ａ）に示す元の位置に復帰する。
【００４５】
また、カバー１６を閉じる場合は、手でカバー１６をピン支点１２ａ（枢軸Ｌｘ）周りに、図４矢印方向と逆方向に揺動させて行う。即ち、カバー１６を閉じる際、カバー１６の揺動先端側１６Ｂが開口部１３内に突出しているロックプレート２４の先端部と干渉するが、ロックプレート２４の先端部はテーパ面２４ｂで構成されているため、ばね付勢されているロックプレート２４は、カバー１６の揺動先端側１６Ｂからの押圧力によって後退（ロックプレート２４がガイド溝３４に沿って後退）して、カバー１６の揺動先端側１６Ｂの開口部１３内への侵入が許容されるとともに、カバー１６側の係合凹部１６Ｃが筐体１２側の貫通孔１２ｂにほぼ一致した位置となると、ロックプレート２４が前進しその先端部がカバー１６側の係合凹部１６Ｃに係合する。即ち、カバー１６がロック機構２０によってロックされた形態となる。
【００４６】
電極膜１８は、図４に示すように、印刷，塗装，蒸着またはスパッタリングによって、カバー１６の裏面側の略全体に積層形成されている。
【００４７】
電極膜１８は、図示しない導通手段（例えば、リード線）によって、例えば筐体１２内に設けた制御ユニット３０（図５（ａ）参照）に接続されている。
【００４８】
電極膜１８と筐体１２の金属部分などの導電体との間には、静電容量（浮遊容量）が存在する。人体も導電体なので、人体と電極膜１８の間にも静電容量（浮遊容量）が存在し、電極膜に人体（指）が近付くと、浮遊容量の値が変化する。制御ユニット３０は、この浮遊容量の変化を検出してタッチの判定を行い、タッチと判定された時には、図５（ａ）に示すように、ソレノイド２６を駆動してロック機構２０によるカバー１６のロックを解除するとともに、バルブ１４を点灯させるように構成されている。
【００４９】
詳しくは、図５（ｂ）に示すように、制御ユニット３０では、ステップ１０１において、タッチスイッチであるカバー１６にタッチしたか否かが判定され、タッチと判定された時は、ステップ１０２に移行し、カバー１６が閉じているか否かが判定される。ステップ１０２において、カバー１６が閉じていると判定された時（例えば、後述する光度センサ４０の出力が閾値以下の場合）には、ステップ１０３に移行して、ソレノイド２５を駆動し、さらにステップ１０４に移行して、バルブ１４を点灯し、ステップ１０５に移行する。ステップ１０５では、カバー１６が閉じているか否かが判定され、カバー１６が閉じていると判定された時には、ステップ１０６に移行して、バルブ１４を消灯する。
【００５０】
一方、ステップ１０１においてタッチと判定されなかった時、または、ステップ１０２においてカバー１６が閉じていると判定されなかった時（カバー１６が開の時）には、それぞれステップ１０１に戻る。また、ステップ１０５において、カバー１６が閉じていると判定されなかった時（カバー１６が開の時）には、ステップ１０１に戻る。
【００５１】
また、図５（ａ）に示すように、バルブ１４の点灯回路には、バルブ１４に供給する電流を増減させてバルブ１４の光量を増減調整する調光手段が設けられており、制御ユニット３０は、例えば、化粧用ミラー１７の表面に設けた光度センサ４０からの出力に基づいて、バルブ１４の光度（バルブ１４への供給電流）が化粧用ミラー１７を利用する上での最適な光度となるように調光制御する。
【００５２】
即ち、制御ユニット３０の記憶部には、化粧用ミラー１７の利用に最適な光度（光度センサ４０の最適光度値）が予め設定されており、制御ユニット３０は、光度センサ４０の出力（光度値）が設定されている最適値となるように、バルブ１４の点灯回路に設けられている調光手段を介してバルブ１４に供給する電流を増減調整する。
【００５３】
また、後部座席の車室内に露呈するドアトリムの所定位置には、カバーロック機構２０を駆動する、例えば押しボタン式の第２のスイッチ５０（図５（ａ）参照）が設けられている。
【００５４】
即ち、リヤバニティミラーケース１０は、後部座席の搭乗者が手を伸ばせば届く天上の所定位置に設置されているが、タッチスイッチであるカバー１６にタッチするためには、手を上方に伸ばさなければならず、年配者や子供にとっては操作しにくい。そこで、後部座席の搭乗者が手を左右方向に伸ばして簡単に届く範囲に、カバーロック機構２０を駆動する第２のスイッチ５０が設けられている。
【００５５】
したがって、後部座席の搭乗者は、化粧用ミラーを使用する際は、天上のリヤバニティミラーケース１０のタッチスイッチであるカバー１６にタッチして、化粧用ミラー１７を一体化したカバー１６を開けてもよいが、第２のスイッチ５０を操作することによっても、化粧用ミラー１７を一体化したカバー１６を開けることができる。
【００５６】
図６は、本発明の第２の実施例である眼鏡収納装置の斜視図である。
【００５７】
前記した第１の実施例では、本発明に係る室内収納装置をリヤバニティミラーケース（化粧用ミラー収納装置）に適用した実施例を示したが、第２の実施例では、本発明に係る室内収納装置を眼鏡収納ケースに適用した実施例を示す。
【００５８】
眼鏡収納ケース１０Ａは、天上に固定された筐体１２（収納室Ｓ）と、一対のアーム１６ｄ，１６ｄと一体に揺動して筐体１２の開口部１３を開閉する開閉蓋であるカバー１６とを備えている。
【００５９】
カバー１６の背面側には、容器状の眼鏡収容部１６ｅが一体化されており、眼鏡を収容部１６ｅに入れてカバー１６を閉じれば、カバー１６が筐体１２内部に設けたカバーロック機構２０によりロックされた状態に保持されて、眼鏡は収納室Ｓに収納された形態となる。
【００６０】
即ち、筐体１２の開口部１３周縁部の背面側には、第１の実施例で示したカバーロック機構２０と同一構造のカバーロック機構２０が配設されて、開口部形成壁の貫通孔（図示せず）からロックプレート（図示せず）の先端部が開口部１３の内方に突出している。
【００６１】
一方、カバー１６の揺動先端側１６Ｂには、ロックプレートの先端部係合用の係合凹部１６Ｃが設けられており、カバー１６を閉じることで、ロックプレートの先端部がカバー１６側の係合凹部１６Ｃに係合して、開口部１３がカバー１６によって閉じた状態に保持される。
【００６２】
また、カバー１６の車室に臨む表面側のほぼ全体に電極膜（図示せず）が積層形成されて、前記した第１の実施例と同様、カバー１６が静電容量式のタッチスイッチを構成している。このため、指がカバー１６のどこか一部に触れるだけで、カバーロック機構２０によるカバー１６のロックが解除されて、カバー１６の揺動先端側１６Ｂが下方に垂れ下がった形態となり、搭乗者は、カバー１６背面側の眼鏡収容部１６ｅから眼鏡を取り出すことができる。
【００６３】
なお、符号１４ａは、室内照明用の光源であるバルブで、筐体１２とアウターレンズ４４によって画成された、収納室Ｓに隣接する灯室Ｓ１内に設けられている。
【００６４】
その他の構成は、前記した第１の実施例と同一であり、同一の符号を付すことでその重複した説明は省略する。
【００６５】
図７は、本発明の第３の実施例である液晶テレビ収納ケースの縦断面図である。
【００６６】
液晶テレビ収納ケース１０Ｂは、後部座席６０前方の天上に固定された筐体１２（収納室Ｓ）と、筐体１２に対し矢印方向に揺動して筐体１２の開口部１３を開閉する開閉蓋であるカバー１６とを備えている。
【００６７】
カバー１６の背面側には、液晶テレビＴが一体化されており、カバー１６を閉じることで、筐体１２の開口周縁部の裏側に配設されたカバーロック機構２０（のロックプレート２４）によりカバー１６の揺動先端側１６Ｂがロックされた状態に保持されて、液晶テレビＴは収納室Ｓに収納された形態となっている。
【００６８】
また、カバー１６の裏面側のほぼ全体に電極膜１８が積層形成されて、前記した第１，第２の実施例と同様、カバー１６が静電容量式のタッチスイッチを構成している。このため、指がカバー１６のどこか一部に触れるだけで、カバーロック機構２０によるカバー１６のロックが解除されて、カバー１６の揺動先端側１６Ｂが下方に垂れ下がった形態となり、搭乗者は、カバー１６裏面側の液晶テレビＴを操作できる。
【００６９】
また、筐体１２の内部には、室内照明用の光源であるバルブ１４ｂが設けられており、カバー１６を開けて液晶テレビＴを見ようとする際に、液晶テレビＴの操作部がバルブ１４ｂによって明るく照明されるので、液晶テレビＴの操作がし易い。
【００７０】
その他の構成は、前記した第１の実施例と同一であり、同一の符号を付すことでその重複した説明は省略する。
【００７１】
図８は、本発明の第４の実施例であるグローブボックスの縦断面図である。
【００７２】
グローブボックス１０Ｃは、助手席の前方に設けられ、助手席に向けて斜め下方に開口する筐体１２（収納室Ｓ）と、ピン支点１２ａ周りに矢印方向に揺動して筐体１２の開口部１３（収納室Ｓ）を開閉する開閉蓋であるカバー１６とを備えている。
【００７３】
カバー１６には、取手１６ｆが設けられ、カバー１６の揺動先端側１６Ｂに対応する筐体１２の外フランジ部１３ａの背面側には、カバーロック機構２０が配設されている。そして、取手１６ｆを手でつかんでカバー１６をその揺動先端側１６Ｂが開口部１３に係合するように揺動させると、カバーロック機構２０によりカバー１６がロックされた（ロックプレート２４の先端部がカバー１６側の係合凹部１６Ｃに係合した）状態に保持される。
【００７４】
また、カバー１６の裏面側のほぼ全体に電極膜１８が積層形成されて、前記した第１，第２，第３の実施例と同様、カバー１６が静電容量式のタッチスイッチを構成している。このため、指がカバー１６のどこか一部に触れるだけで、カバーロック機構２０によるカバー１６のロックが解除されて、カバー１６は、自重でピン支点１２ａ周りに揺動し、筐体１２の開口部１３（収納室Ｓ）が開口された形態となって、搭乗者は収納室Ｓに小物を出し入れできる。
【００７５】
また、カバー１６の背面側には、光源であるバルブ１４ｃが設けられており、カバー１６を開いた際にバルブ１４ｃが点灯して、収納室Ｓ内が明るく照明されるように構成されている。
【００７６】
その他の構成は、前記した第１の実施例と同一であり、同一の符号を付すことでその重複した説明は省略する。
【００７７】
図９は、本発明の第５の実施例であるコンソールボックスの縦断面図である。
【００７８】
コンソールボックス１０Ｄは、運転席と助手席との間に設けられ、上方に向けて開口する筐体１２（収納室Ｓ）と、筐体１２の開口部１３に設けたピン支点１２ａ周りに揺動して、開口部１３（収納室Ｓ）を開閉する開閉蓋であるカバー１６とを備えている。
【００７９】
カバー１６には、取手１６ｆが設けられ、カバー１６の揺動先端側１６Ｂに対応する筐体１２の外フランジ部１３ａの背面側には、カバーロック機構２０が配設されている。そして、取手１６ｆを手でつかんでカバー１６をその揺動先端側１６Ｂが開口部１３に係合するように揺動させると、カバーロック機構２０によりカバー１６がロックされた（ロックプレート２４の先端部がカバー１６側の係合凹部１６Ｃに係合した）状態に保持される。
【００８０】
また、カバー１６の裏面側のほぼ全体に電極膜１８が積層形成されて、前記した種々の実施例と同様、カバー１６が静電容量式のタッチスイッチを構成している。このため、指がカバー１６のどこか一部に触れるだけで、カバーロック機構２０によるカバー１６のロック（ロックプレート２４とカバー１６側の係合凹部１６Ｃ間の係合）が解除されるので、カバー１６を起立する方向に揺動させることで、開口部１３（収納室Ｓ）を開口させることができる。
【００８１】
また、カバー１６の背面側にはバルブ１４ｄが設けられており、カバー１６を開いた際に点灯して、収納室Ｓが明るく照明されるようになっている。
【００８２】
また、カバー１６の揺動先端側１６Ｂと筐体１２の開口周縁部間には、ロックプレート２４と干渉しない所定位置に圧縮ばね１３ｂが介装されて、カバーロック機構２０によるカバー１６のロックが解除されたときに、カバー１６は、この圧縮ばね１３ｂのばね力によって、その揺動先端側１６Ｂがロックプレート２４の先端部よりも上方となる位置に保持されるように構成されている。
【００８３】
即ち、前記した第１〜第４の実施例では、カバーロック機構２０によるカバー１６のロックが解除されると、カバー１６は、自重で勝手に揺動して収納室Ｓの開口部１３を開口するように構成されているが、本実施例では、上方に開口する筐体１２（収納室Ｓ）に対しカバー１６を起立するように揺動させて開口部１３を開口する構造（カバー１６の自重は開口部１３を閉じる方向に作用する構造）であるため、カバーロック機構２０によるカバー１６のロックを解除しただけでは、第１〜第４の実施例のように、カバー１６が自重で勝手に揺動して開口１３を開口するものではなく、むしろ、カバーロック機構２０がカバー１６を勝手にロック（ロックプレート２４がカバー１６側の係合凹部１６Ｃに勝手に係合）してしまうおそれがある。
【００８４】
このため、本実施例では、カバー１６の揺動先端側１６Ｂと筐体１２の開口周縁部間に圧縮ばね１３ｂを介装して、カバーロック機構２０によるロックが解除されたカバー１６の揺動先端側１６Ｂを開口部１３から確実に浮かせることで、カバーロック機構２０がカバー１６を勝手にロック（ロックプレート２４がカバー１６側の係合凹部１６Ｃに勝手に係合）してしまうことのないように構成されている。
【００８５】
その他の構成は、前記した第１の実施例と同一であり、同一の符号を付すことでその重複した説明は省略する。
【００８６】
なお、前記した第１〜第５の実施例では、カバー１６の裏面側または表面側のほぼ全体に電極膜１８が積層形成されているが、カバー１６の裏面側または表面側の所定領域だけに電極膜１８を積層形成するように構成してもよい。
【符号の説明】
【００８７】
１０  室内収納装置であるリヤバニティミラーケース
１０Ａ  室内収納装置である眼鏡収納ケース
１０Ｂ  室内収納装置である液晶テレビ収納ケース
１０Ｃ  室内収納装置であるグローブボックス
１０Ｄ  室内収納装置であるコンソールボックス
１２  筐体
１２ｂ  貫通孔
１３  筐体の開口部
１３ａ  外フランジ部
Ｓ  収納室
１４，１４ａ，１４ｂ，１４ｃ，１４ｄ  光源であるバルブ
１５  インナーレンズ
１６  タッチスイッチとして機能する開閉蓋であるカバー
１６Ａ  カバー基端部側
１６Ｂ  カバーの揺動先端側
１６Ｃ  フック係止部である係合凹部
１７  化粧用ミラー
Ｌｘ  枢軸
１８  電極膜
２０  蓋開閉駆動機構であるカバーロック機構
２２  スライダー
Ｌｙ  スライド軸
２３  長孔
２４  フックであるロックプレート
２４ａ  突出ピン
２６  カバーロック機構の駆動部である電磁ソレノイド
３０  制御ユニット
【図１】
2012051533.tif 000003
【図２】
2012051533.tif 000004
【図３】
2012051533.tif 000005
【図４】
2012051533.tif 000006
【図５】
2012051533.tif 000007
【図６】
2012051533.tif 000008
【図７】
2012051533.tif 000009
【図８】
2012051533.tif 000010
【図９】
2012051533.tif 000011